【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
機器において、
パネルと、
前記パネルに一体化された流体流路と、
前記パネルに一体化されるとともに前記流体流路に流体的に結合されたポートとを備え、
前記パネル、前記流体流路、および前記ポートが、ストレートプル表面からなることを特徴とする機器。
【請求項２】
請求項１に記載の機器において、一体型流体導管を形成するために前記流体流路に結合されたシールを更に備えることを特徴とする機器。
【請求項３】
請求項１に記載の機器において、前記パネルに一体化されるとともに前記流体流路に沿って延びる隆起部を更に備えることを特徴とする機器。
【請求項４】
請求項１に記載の機器において、前記ポートが位置合わせポストと流体導管とを備え、かつ前記流体導管が前記流体流路に流体的に結合されることを特徴とする機器。
【請求項５】
請求項１に記載の機器において、
一体型流体導管を形成するために前記流体流路に結合されたシールと、
前記ポートに流体的に結合された空気圧構成要素と
を更に備えることを特徴とする機器。
【請求項６】
請求項５に記載の機器において、前記空気圧構成要素がポンプであることを特徴とする機器。
【請求項７】
治療機器において、
パネルを備えるハウジングと、
前記パネルに一体化された流体流路であって、前記流体流路および前記パネルがストレートプル表面からなる、前記流体流路と、
前記パネル内に一体型流体導管を形成するために前記流体流路に結合されたシールと、
前記ハウジング内に配置されるとともに前記一体型流体導管に流体的に結合された空気圧構成要素と
を備えることを特徴とする治療機器。
【請求項８】
請求項７に記載の治療機器において、前記空気圧構成要素が陰圧源であることを特徴とする治療機器。
【請求項９】
請求項７に記載の治療機器において、前記空気圧構成要素がポンプであることを特徴とする治療機器。
【請求項１０】
請求項９に記載の治療機器において、前記ポンプが、前記ポンプから流体を排出するように構成された陽圧ポートを備え、かつ前記陽圧ポートが前記一体型流体導管に流体的に結合されることを特徴とする治療機器。
【請求項１１】
請求項１０に記載の治療機器において、前記陽圧ポートの下流側で前記一体型流体導管に流体的に結合された膨張室を更に備えることを特徴とする治療機器。
【請求項１２】
請求項１１に記載の治療機器において、前記膨張室が前記パネルに一体化されるとともにストレートプル表面からなることを特徴とする治療機器。
【請求項１３】
請求項１２に記載の治療機器において、前記膨張室内に配置された少なくとも１つのバッフルを更に備えることを特徴とする治療機器。
【請求項１４】
請求項１２に記載の治療機器において、前記膨張室が蛇行経路に沿って流体を導くように構成されることを特徴とする治療機器。
【請求項１５】
請求項１０に記載の治療機器において、前記流体流路の少なくとも一部分が蛇行していることを特徴とする治療機器。
【請求項１６】
請求項７に記載の治療機器において、前記ハウジングが、第１のハウジングと第２のハウジングとを備えるとともに、前記第１のハウジングを前記第２のハウジングに結合する締結具を更に備え、前記締結具が前記流体流路の内側における前記パネルを貫通して配置されることを特徴とする機器。
【請求項１７】
請求項７に記載の治療機器において、少なくとも２つの流体流路と、少なくとも２つの空気圧構成要素とを備えるとともに、前記空気圧構成要素を前記流体流路に結合するように構成された継手を更に備えることを特徴とする治療機器。
【請求項１８】
請求項７に記載の治療機器において、
前記空気圧構成要素が、陰圧ポートと陽圧ポートとを備える陰圧源であり、
前記陰圧ポートが流体容器に結合されるように構成され、かつ
前記陽圧ポートが前記一体型流体導管に流体的に結合されることを特徴とする治療機器。
【請求項１９】
請求項８に記載の治療機器において、前記陰圧源に流体的に結合されたドレッシングを更に備えることを特徴とする治療機器。
【請求項２０】
請求項８に記載の治療機器において、
前記陰圧源に流体的に結合された流体容器と、
前記流体容器に流体的に結合されたドレッシングと
を更に備えることを特徴とする治療機器。
【請求項２１】
治療機器において、
一体型流体流路を備えたハウジングと、
一体型流体導管を形成するために前記一体型流体流路を覆うように前記ハウジングにしっかりと固定されたシールとを備え、
前記ハウジングがストレートプル成形型により成形されることを特徴とする治療機器。
【請求項２２】
請求項２１に記載の治療機器において、継手を通じて前記一体型流体導管に流体的に結合された空気圧構成要素を更に備えることを特徴とする治療機器。
【請求項２３】
請求項２１に記載の治療機器において、前記継手が単一のユニットとして作製されることを特徴とする治療機器。
【請求項２４】
陰圧療法を提供するための機器において、
第１のハウジングと、
第２のハウジングと、
前記第２のハウジングに結合されたパネルと、
前記パネルに一体化された第１の流体流路と、
前記パネルに一体化された第２の流体流路と、
前記パネルに一体化されるとともに前記第１の流体流路に流体的に結合された第１の流路ポートと、
前記パネルに一体化されるとともに前記第２の流体流路に流体的に結合された第２の流路ポートと、
前記第１のハウジングと前記第２のハウジングとの間に配置されたポンプであって、前記第１の流路ポートに流体的に結合された陰圧ポートと、前記第２の流路ポートに流体的に結合された陽圧ポートとを備える前記ポンプと、
前記パネルに結合されるとともに前記陰圧ポートの上流側で前記第１の流体流路に流体的に結合されたキャニスタポートと、
前記パネルに結合されるとともに前記陽圧ポートの下流側で前記第２の流体流路に流体的に結合された膨張室と、
前記第１の流体流路と前記第２の流体流路とを覆うように前記パネルに結合された接着ラベルと
を備えることを特徴とする機器。
【請求項２５】
請求項２４に記載の機器において、前記パネル、前記第１の流体流路、前記第１の流路ポート、前記第２の流体流路、前記第２の流路ポート、前記キャニスタポート、および前記膨張室が、少なくとも１つの向きに正の離型角度を有する表面からなることを特徴とする機器。
【請求項２６】
請求項２４に記載の機器において、前記キャニスタポートに流体的に結合された流体容器を更に備えることを特徴とする機器。
【請求項２７】
請求項２４に記載の機器において、
前記キャニスタポートに流体的に結合された流体容器と、
前記流体容器に流体的に結合されたドレッシングと
を更に備えることを特徴とする機器。
【請求項２８】
製造方法において、
ストレートプル成形型によりパネルを成形するステップであって、前記成形型が前記パネル内に流路を形成する、前記成形するステップと、
一体型流体導管を形成するために前記流路を覆うようにシールを前記パネルに貼り付けるステップと
を含むことを特徴とする方法。
【請求項２９】
請求項２８に記載の方法において、前記シールがポリエステルフィルムを含むことを特徴とする方法。
【請求項３０】
請求項２８に記載の方法において、前記シールが製品ラベルであることを特徴とする方法。
【請求項３１】
請求項２８に記載の方法において、前記成形型が、前記流路に流体的に結合されたポートを更に形成し、前記ポートが、前記流路を空気圧構成要素に結合するように構成されることを特徴とする方法。
【請求項３２】
請求項２８に記載の方法において、空気圧構成要素を前記一体型流体導管に結合するステップを更に含むことを特徴とする方法。
【請求項３３】
請求項２８に記載の方法において、前記成形型が、前記流路に流体的に結合された膨張室を更に形成することを特徴とする方法。